(57)【要約】【課題】土留め壁用コンクリート型枠連結具１などに利用して効果的な弛み止め効果が期待できる螺軸固定構造を提案する。【解決手段】本体２のネジ孔７に螺嵌結合される螺軸２２ａの固定構造であって、本体２のネジ孔７の外側で当該ネジ孔７の一側方から他側方に向かって当該ネジ孔７の軸心延長線を横断する操作片８が設けられ、この操作片８は一端部８ａのみが本体２に固定された片持ち状のもので、当該操作片８には、螺軸２２ａが貫通する貫通孔部１２と、この貫通孔部１２から離れた位置から本体表面側に突出すると共に先端ほど前記ネジ孔７に近づくように傾斜する切り起こし舌片１０とが設けられ、この切り起こし舌片１０には本体表面に隣接する先端部１０ａが設けられた構成。【選択図】図３
2008255577.tif 000002
【特許請求の範囲】
【請求項１】
本体のネジ孔に螺嵌結合される螺軸の固定構造であって、前記本体のネジ孔の外側で当該ネジ孔の一側方から他側方に向かって当該ネジ孔の軸心延長線を横断する操作片が設けられ、この操作片は一端部のみが前記本体に固定された片持ち状のもので、当該操作片には、前記ネジ孔に螺嵌される前記螺軸が貫通する貫通孔部と、この貫通孔部から離れた位置から前記本体表面側に突出すると共に先端ほど前記ネジ孔に近づくように傾斜する切り起こし舌片が設けられ、この切り起こし舌片には前記本体表面に隣接する先端部が設けられ、前記操作片を本体表面側に打ち叩いて当該本体表面に接近するように変形させたとき、前記切り起こし舌片が、その先端部が本体表面と圧接することにより操作片側に接近するように変形し、この変形に伴って当該切り起こし舌片の先端部が本体表面上をネジ孔側へ摺接移動し、その先端を前記ネジ孔に螺嵌された螺軸のネジ溝に食い込ませることができるように構成された、螺軸固定構造。
【請求項２】
前記切り起こし舌片の先端部は、前記本体表面とほぼ平行な向きに折曲されている、請求項１に記載の螺軸固定構造。
【請求項３】
前記切り起こし舌片は、操作片の貫通孔部に対し前記一端部のある側に設けられた短い切り起こし舌片と遊端部のある側に設けられた長い切り起こし舌片の一対から成る、請求項１又は２に記載の螺軸固定構造。
【請求項４】
前記切り起こし舌片の先端部には、前記ネジ孔の軸心に対し左右対称の一対の尖端が形成されている、請求項１〜３の何れか１項に記載の螺軸固定構造。
【請求項５】
前記操作片は、その左右両側辺から折曲連設された補強用側壁部を備えている、請求項１〜４の何れか１項に記載の螺軸固定構造。
【請求項６】
前記操作片は、その一端部側に、前記ネジ孔の軸心と平行な本体側板部の外側に当接状態で固着される取付け用板部が折曲連設されている、前記請求項１〜７の何れか１項に記載の螺軸固定構造。
【請求項７】
前記本体のネジ孔は、本体の左右両側板部間に挟持されたナットで構成され、前記操作片の取付け用板部には、本体側板部に設けられた貫通孔から本体内側に入り込んで前記ナットに圧接するナット位置決め兼用の取付け用舌片により本体に取り付けられている、前記請求項６に記載の螺軸固定構造。
【発明の詳細な説明】
【技術分野】
【０００１】
本発明は、螺軸を併用する各種建築金物などに活用できる螺軸固定構造、即ち、本体のネジ孔に螺嵌結合された螺軸の弛み止め機能を備えた螺軸固定構造に関するものである。
【背景技術】
【０００２】
本体のネジ孔に螺嵌結合された螺軸の弛み止め機能を備えた螺軸固定構造としては、特許文献１に記載されるように、前記本体からネジ孔の軸心延長線の片側に位置するように連設された操作片と、この操作片内に切り起こし形成された係止用舌片とを備え、前記操作片は、先端が前記ネジ孔から遠ざかる方向に突出するように切り起こされ、前記係止用舌片は、前記操作片とは逆向きで且つ先端の巾より基部の巾が広くなる形状に切り起こされ、前記操作片の先端に前記ネジ孔の軸心方向に操作力を加えたとき、前記係止用舌片の巾広基部の両側で前記操作片が屈曲して、前記操作片の先端から係止用舌片の先端までの部分が一体に傾動し、係止用舌片の先端が前記螺軸のネジ溝に食い込むように構成された、螺軸固定構造が知られている。
【特許文献１】特開２００４−１９０４５９号公報
【発明の開示】
【発明が解決しようとする課題】
【０００３】
上記のような従来の螺軸固定構造では、螺軸の横側方に位置する巾広基部からネジ孔側へ斜めに傾斜している係止用舌片が前記巾広基部を支点に先端が螺軸に接近する方向に揺動することにより、当該係止用舌片の先端が螺軸のネジ溝に食い込む構成であるため、当該螺軸のネジ溝に対する係止用舌片の先端の食い込み方向が、当該螺軸の軸心に対し直角方向ではなく斜め方向になる。従って、係止用舌片の先端の食い込みが弱く、強力な弛み止め効果を期待することができなかった。
【課題を解決するための手段】
【０００４】
本発明は上記のような従来の問題点を解消し得る螺軸固定構造を提供することを目的とするものであって、請求項１に記載の螺軸固定構造は、後述する実施形態の参照符号を付して示すと、本体２のネジ孔７に螺嵌結合される螺軸（螺軸部２２ａ）の固定構造であって、前記本体２のネジ孔７の外側で当該ネジ孔７の一側方から他側方に向かって当該ネジ孔７の軸心延長線を横断する操作片８が設けられ、この操作片８は一端部８ａのみが前記本体２に固定された片持ち状のもので、当該操作片８には、前記ネジ孔７に螺嵌される前記螺軸（螺軸部２２ａ）が貫通する貫通孔部１２と、この貫通孔部１２から離れた位置から前記本体（折り返し端部５）表面側に突出すると共に先端ほど前記ネジ孔７に近づくように傾斜する切り起こし舌片９，１０とが設けられ、この切り起こし舌片９，１０には前記本体（折り返し端部５）表面に隣接する先端部９ａ，１０ａが設けられ、前記操作片８を本体（折り返し端部５）表面側に打ち叩いて当該本体表面に接近するように変形させたとき、前記切り起こし舌片９，１０が、その先端部９ａ，１０ａが本体（折り返し端部５）表面と圧接することにより操作片８側に接近するように変形し、この変形に伴って当該切り起こし舌片９，１０の先端部９ａ，１０ａが本体（折り返し端部５）表面上をネジ孔７側へ摺接移動し、その先端（尖端１３）を前記ネジ孔７に螺嵌された螺軸（螺軸部２２ａ）のネジ溝に食い込ませることができるように構成されている。
【０００５】
上記構成の本発明を実施するについて、切り起こし舌片９，１０の先端部は、本体表面（折り返し端部５）に対し斜めに対面するように構成しても良いが、請求項２に記載のように、前記切り起こし舌片９，１０の先端部９ａ，１０ａは、前記本体（折り返し端部５）表面とほぼ平行な向きに折曲させておくことができる。又、前記切り起こし舌片９，１０は、操作片８の貫通孔部１２に対し前記一端部８ａのある側に設けられた短い切り起こし舌片９と遊端部８ｂのある側に設けられた長い切り起こし舌片１０の内、少なくとも一方、好ましくは前記長い切り起こし舌片１０を設けることが望ましいが、請求項３に記載のように、前記短い切り起こし舌片９と長い切り起こし舌片１０の両方を設けることができる。更に、請求項４に記載のように、切り起こし舌片９，１０の先端部９ａ，１０ａには、前記ネジ孔７の軸心に対し左右対称の一対の尖端１３を形成しておくことができる。
【０００６】
又、請求項５に記載のように、前記操作片８には、その左右両側辺から折曲連設された補強用側壁部８ｃを設けることができる。又、前記操作片８は如何なる方法で本体２に取り付けても良いし、可能な場合は本体２からの切り起こしにより本体２と一体に構成することもできるが、請求項６に記載のように、前記操作片８には、その一端部８ａ側に、前記ネジ孔７の軸心と平行な本体側板部６ａの外側に当接状態で固着される取付け用板部１１を折曲連設しておくことができる。このとき、前記本体２のネジ孔７が、本体２の左右両側板部６ａ，６ｂ間に挟持されたナット１５で構成されている場合は、請求項７に記載のように、前記操作片８の取付け用板部１１には、本体側板部６ａに設けられた貫通孔２５ａ〜２５ｃから本体２内側に入り込んで前記ナット１５に圧接するナット位置決め兼用の取付け用舌片２４ａ〜２４ｃにより本体２に取り付けることができる。
【発明の効果】
【０００７】
上記請求項１に記載の構成の本発明に係る螺軸固定構造によれば、操作片を本体表面側に打ち叩いて当該本体表面に接近するように変形させたとき、前記切り起こし舌片が、その先端部が本体表面と圧接することにより操作片側に接近するように変形し、この変形に伴って当該切り起こし舌片の先端部が本体表面をネジ孔側へ摺接移動し、その先端が前記ネジ孔に螺嵌された螺軸のネジ溝に食い込むのであるから、当該螺軸のネジ溝に対する切り起こし舌片先端の食い込み方向が、当該螺軸の軸心に対し直交する向きとなり、螺軸の軸心に対し真横から切り起こし舌片の先端を食い込ませることができる。しかも、操作片に対する打ち叩き方向は、螺軸の軸心方向であって、螺軸のネジ溝に対する切り起こし舌片先端部の食い込み方向に打ち叩くのではないから、切り起こし舌片先端が反動で螺軸のネジ溝から離脱することがなく、強力に切り起こし舌片先端を螺軸のネジ溝に食い込ませ且つその状態を確実に保持させることができる。即ち、本体ネジ孔に対する螺軸の強力な弛み止め効果が期待できる。
【０００８】
尚、請求項２に記載の構成によれば、操作片を打ち叩いたときの切り起こし舌片先端部の本体表面上でのネジ孔方向への摺接移動が円滑に行われ、操作が容易になる。又、請求項３に記載の構成によれば、螺軸を両側から挟み込むように左右一対の切り起こし舌片の先端を螺軸のネジ溝に食い込ませることができ、請求項４に記載の構成によれば、切り起こし舌片先端の左右対称の一対の尖端で螺軸を自動調心的に抱きかかえるように食い込ませることができるので、これら請求項３や４に記載の構成によれば、切り起こし舌片先端の食い込み効果を高め、螺軸の弛み止め効果を一層高めることができる。
【０００９】
又、請求項５に記載の構成によれば、変形させる切り起こし舌片を備えると共にそれ自体本体表面側へ接近させるように変形させなければならない操作片を、これら変形動作が円滑確実に行わせることができる、比較的板厚の薄い板材から構成しても、操作片そのものは補強用側壁部で補強して、打ち叩き操作時の操作力を確実に切り起こし舌片に伝達し、所期の作用を確実に行わせることができる。
【００１０】
更に、請求項６に記載の構成によれば、本体表面が十分な面積を持たない場合でも、操作片に十分な広さの取付け面を確保し、溶接止め、ボルトナット止め、リベット止めなど、任意の取付け方法を採用して簡単容易に操作片を本体に組付けることができる。この場合、請求項７に記載の構成によれば、操作片を本体に組付けるための手段（取付け用舌片）により、ネジ孔を構成するナットを本体に取り付けることができ、コストダウンを図ることができる。
【発明を実施するための最良の形態】
【００１１】
以下に本発明による螺軸固定構造を土留め壁用コンクリート型枠連結具に応用した場合の好適実施形態を添付図に基づいて説明すると、図１〜図３に於いて、１は土留め壁用コンクリート型枠連結具であって、本体２と、この本体２の一端に設けられた土留め壁への連結部３と、本体２の他端に設けられたセパレーター連結部４とから成る。
【００１２】
前記本体２は、セパレーター連結部４側で折り返したコ字形帯状板から成り、セパレーター連結部４は、本体２の折り返し端部５に設けられたネジ孔７と、折り返し端部５に連設した操作片８と、この操作片８に形成された一対の切り起こし舌片９，１０とから構成されている。
【００１３】
前記操作片８は、その一端部８ａから折曲連設された取付け板部１１において、本体２の両側板６ａ，６ｂの一方の外側面に当接状態で溶接など適当な手段で固着されたもので、その一端部８ａから遊端部８ｂに至るほど本体２の折り返し端部５から離れるように傾斜すると共に、左右両側辺には、外向きに折曲連設された補強用側壁部８ｃが形成されている。そして操作片８には、矩形の貫通孔部１２が設けられている。この貫通孔部１２は、ネジ孔７の軸心方向からみたときに、当該貫通孔部１２内にネジ孔７の全体が含まれるような大きさであるが、当該貫通孔部１２内の操作片一端部８ａがある側に偏ってネジ孔７が位置するように形成されている。
【００１４】
而して一対の切り起こし舌片９，１０は、操作片８における前記矩形の貫通孔部１２を形成するものであって、操作片にＨ形の切り込みを入れ、その操作片８の長さ方向に隣接する２つの矩形舌片部を本体２の折り返し端部５側に押し出すことにより、矩形の貫通孔部１２と一対の切り起こし舌片９，１０とが形成されている。このとき、操作片８の一端部８ａに近い側の切り起こし舌片９は、この切り起こし舌片９の基部となる貫通孔部１２の内側辺がネジ孔７及び本体２の折り返し端部５に近いために短く、反対の操作片８の遊端部８ｂに近い側の切り起こし舌片１０は、この切り起こし舌片１０の基部となる貫通孔部１２の外側辺がネジ孔７及び本体２の折り返し端部５から遠いために長くなっており、各切り起こし舌片９，１０は、その基部（貫通孔部１１の内側辺及び外側辺）からネジ孔７の開口端に向かって傾斜して延出し、その先端部９ａ，１０ａは、本体２の折り返し端部５と平行になる向きに折曲されると共に当該本体２の折り返し端部５に隣接している。そしてこれら切り起こし舌片９，１０の先端部９ａ，１０ａには、図３に示すように、それぞれネジ孔７の軸心に対し対称に一対の尖端１３が突設されている。
【００１５】
前記ネジ孔７は、本体２の折り返し端部５に形成された貫通孔１４と、当該本体２の折り返し端部５の内側に固定されたナット１５とで構成されている。前記ナット１５は、溶接で本体２の内側に固着することができるが、先に示した特許文献１に記載されるようなカシメ方法で本体２に固着しても良い。
【００１６】
前記本体２の土留め壁への連結部３は、各種のものが考えられるが、この実施形態では、前記本体２の左右両側板部６ａ，６ｂの遊端部間に挟持固定されて当該本体２から突出する螺軸部１６で構成している。
【００１７】
図４に示すように、従来周知の通り土留め壁１７は、適当間隔おきに立設された矢板支持用Ｈ形鋼１８間に所要枚数の矢板１９を落とし込んで、上下に隣接する矢板１９によって土留めのための壁を構成したものであり、上記構成の連結具１を使用するために、矢板支持用Ｈ形鋼１８のコンクリート壁築造側（山側とは反対側）のフランジ部１８ａの外側面適当箇所に、連結具１の螺軸部１６を螺合し得るネジ孔を備えた部材、具体的には、ナット２０を内側に固着した部材２１が溶接により固着される。そして連結具１の前記螺軸部１６を部材２１のナット２０（ネジ孔）に螺合締結し、所要長さに調整されたセパレーター２２の一端螺軸部２２ａを、図３Ｂに示すように、連結具１のセパレーター連結部４におけるネジ孔７（ナット１１のネジ孔）に螺合する。このとき螺軸部２２ａは操作片８の矩形の貫通孔部１２内及び一対の切り起こし舌片９，１０の対向先端部９ａ，１０ａ間を通過するだけで、これらとは干渉しない。
【００１８】
セパレーター２２の一端螺軸部２２ａを連結具１のネジ孔７に所要深さまで螺合させたならば、図３Ｃに示すように、操作片８の遊端部８ｂをセパレーター２２の螺進方向（ネジ孔７の軸心方向）にハンマーその他の適当な工具又は資材で打ち叩いて操作力Ｆを加える。この結果、操作片８がその一端部８ａを支点に本体２の折り返し端部５側に接近するように曲げられて変形することになるが、このとき一対の切り起こし舌片９，１０は、変形する操作片８と本体２の折り返し端部５との間で挟まれ、その操作片８側の基部を支点に当該操作片８に接近する側へ曲げられて変形する。このとき各切り起こし舌片９，１０の先端部９ａ，１０ａは、本体２の折り返し端部５の表面上を摺接しながらネジ孔７側へ移動することになり、当該ネジ孔７に螺合しているセパレーター２２の螺軸部２２ａのネジ溝に食い込む結果となる。
【００１９】
セパレーター２２の他端に対するコンクリート型枠２３の結合は、従来周知の通り、例えばセパレーター２２の他端部に結合された型枠受け用コーン２４や、型枠２３の外側でセパレーター２２（前記コーン２４から突出する螺軸部）に連結される型枠締結金具２５等を使用して行われる。
【００２０】
図５〜図７は、操作片８の取付け方法の他の例を示している。この例では、操作片８の一端部８ａから折曲連設した取付け用板部１１の左右両側辺と先端辺とからそれぞれ取付け用舌片２４ａ〜２４ｃを切り起こしにより一体形成すると共にこれら各舌片２４ａ〜２４ｃを本体２の側板部６ａ側に折曲し、本体２の側板部６ａには、前記３つの取付け用舌片２４ａ〜２４ｃがそれぞれ貫通する貫通孔２５ａ〜２５ｃを設けておき、本体２の折り返し端部５に内側に、本体２の左右両側板部６ａ，６ｂで平行両側辺が挟まれて回転止めされる状態にナット１５を嵌合させ、前記各貫通孔２５ａ〜２５ｃに各取付け用舌片２４ａ〜２４ｃを挿通させるように取付け用板部１１を本体側板部６ａに当接させたとき、３つの取付け用舌片２４ａ〜２４ｃの内の並列する２つの取付け用舌片２４ａ，２４ｂがハの字形に変形してナット１５の一対の斜辺を挟み込むように構成している。この結果、ナット１５は取付け用舌片２４ａ，２４ｂとの摩擦力で位置決めされると共に、操作片８が３つの取付け用舌片２４ａ〜２４ｃと各貫通孔２５ａ〜２５ｃとの係合により本体２に取り付けられる。
【００２１】
尚、図では３つの取付け用舌片２４ａ〜２４ｃの内、１つの取付け用舌片２４ｃがナット１５から離れて位置しているが、この取付け用舌片２４ｃと本体２の折り返し端部５との間でナット５が挟み付けられるように構成して、ナット１５の取付け強度を高めることもできる。勿論、各取付け用舌片２４ａ〜２４ｃをナット１５から離して配置し、これら取付け用舌片２４ａ〜２４ｃを操作片８の取付け手段としてのみ利用することもできる。この場合は、ナット１５は溶接など、他の適当な方法で本体２に固定される。勿論、ネジ孔７を構成するのにナット１５を使用したが、本体２の板厚が厚いときは、単にネジ孔を加工するだけで良いし、バーリング加工で形成した貫通孔の内側にネジ溝加工してネジ孔を構成することもできる。
【００２２】
土留め壁用コンクリート型枠連結具１の土留め壁への連結部３としては、先に示した特許文献１に記載されるように、各種構造のものが採用できる。勿論、本発明の螺軸固定構造は、上記のような土留め壁用コンクリート型枠連結具１にのみ利用できるものではなく、螺軸が螺嵌結合されて使用される各種建築金物などの弛み止め対策として活用できるものである。
【図面の簡単な説明】
【００２３】
【図１】本発明の一実施形態を示す側面図である。
【図２】Ａ図はその要部の平面図、Ｂ図は同要部の底面図である。
【図３】Ａ図は同要部の拡大正面図、Ｂ図は螺軸を螺嵌した状態での同要部の拡大縦断側面図、Ｃ図は操作片を操作した螺軸固定状態での同要部の拡大縦断側面図である。
【図４】図１に示す土留め壁用コンクリート型枠連結具を利用して構成した土留め壁の要部の縦断側面図である。
【図５】別の実施形態を示す要部の側面図である。
【図６】図５の平面図である。
【図７】図５の要部の縦断正面図である。
【符号の説明】
【００２４】
１    土留め壁用コンクリート型枠連結具
２    本体
３    土留め壁への連結部
４    セパレーター連結部
５    本体の折り返し端部
６ａ，６ｂ    本体の左右両側板部
７    ネジ孔
８    操作片
８ａ    操作片一端部
８ｂ    操作片遊端部
８ｃ    操作片の補強用側壁部
９，１０    切り起こし舌片
９ａ，１０ａ    切り起こし舌片の先端部
１１    取付け板部
１２    矩形の貫通孔部
１３    尖端
２４ａ〜２４ｃ    取付け用舌片
２５ａ〜２５ｃ    貫通孔
【図１】
2008255577.tif 000003
【図２】
2008255577.tif 000004
【図３】
2008255577.tif 000005
【図４】
2008255577.tif 000006
【図５】
2008255577.tif 000007
【図６】
2008255577.tif 000008
【図７】
2008255577.tif 000009